(57)【要約】【課題】軽い力で簡単に蓋体を旋回させて、蓋体の閉じ操作を行うことができる化粧料容器を提供する。【解決手段】容器本体２と、容器本体の上面を覆う蓋体３と、容器本体および蓋体の一側部に、これらを連結すべく縦設され、容器本体に対し蓋体を開閉自在に旋回させるヒンジ手段とを有する化粧料容器１であって、ヒンジ手段は、蓋体を、その閉じ操作の途中から閉じ方向へ向かって付勢して、強制閉止動作を発生させ、容器本体の周側縁部２ａおよび蓋体３の周側縁部３ａの少なくともいずれか一方には、閉じ方向へ付勢される蓋体を閉止位置で停止させるために、蓋体の周側縁部および容器本体の周側縁部のいずれか他方と係合されるストッパー２０が突設される。【選択図】図３
2009125119.tif 000002
【特許請求の範囲】
【請求項１】
容器本体と、該容器本体の上面を覆う蓋体と、該容器本体および該蓋体の一側部に、これらを連結すべく縦設され、該容器本体に対し該蓋体を開閉自在に旋回させるヒンジ手段とを有する化粧料容器であって、前記ヒンジ手段は、該蓋体を、その閉じ操作の途中から閉じ方向へ向かって付勢して、強制閉止動作を発生させ、前記容器本体の周側縁部および前記蓋体の周側縁部の少なくともいずれか一方には、閉じ方向へ付勢される該蓋体を閉止位置で停止させるために、該蓋体の周側縁部および該容器本体の周側縁部のいずれか他方と係合されるストッパーが突設されることを特徴とする化粧料容器。
【請求項２】
該容器本体の周側縁部および該蓋体の周側縁部の間には、該蓋体の閉止状態を保持するために、これらを係脱自在に係止するフックが形成されることを特徴とする請求項１に記載の化粧料容器。
【発明の詳細な説明】
【技術分野】
【０００１】
本発明は、蓋体を旋回させて容器本体を開閉する化粧料容器に関する。
【背景技術】
【０００２】
従来、蓋体を旋回させて容器本体を開閉する化粧料容器として、例えば特許文献１が知られている。
【０００３】
特許文献１では、容器本体と、容器本体の上面を覆う蓋体からなり、蓋体の一側部下面に縦設したピンを中心として蓋体を旋回させることで、蓋体をすりあわせた状態で開閉する化粧料容器において、ピン孔下部に拡径部を形成し、拡径部に突出するピンの外周部に弾性リングを嵌合するとともに、ピン端部外周にリング押さえピースを嵌着して弾性リングを圧縮して、弾性リングに蓋体を常時容器本体側に密着させる方向の弾性を付与している。これによって上記化粧料容器は、旋回操作により蓋体を閉じたときは容器本体に気密に密着して化粧料の飛散やその劣化を防ぐとともに、開放時には、フリーストップ性が得られる。
【特許文献１】特開２００３−１１６６２７号公報
【発明の開示】
【発明が解決しようとする課題】
【０００４】
しかしながら、上記従来の化粧料容器にあっては、閉止位置まで蓋体を手で旋回させて、蓋体の閉じ操作をしなければならなかった。このため、蓋体の閉じ操作に力を要していた。
【０００５】
本発明は上記従来の課題に鑑みて創案されたものであって、軽い力で簡単に蓋体を旋回させて、蓋体の閉じ操作を行うことができる化粧料容器を提供することを目的とする。
【課題を解決するための手段】
【０００６】
本発明にかかる化粧料容器は、容器本体と、該容器本体の上面を覆う蓋体と、該容器本体および該蓋体の一側部に、これらを連結すべく縦設され、該容器本体に対し該蓋体を開閉自在に旋回させるヒンジ手段とを有する化粧料容器であって、前記ヒンジ手段は、該蓋体を、その閉じ操作の途中から閉じ方向へ向かって付勢して、強制閉止動作を発生させ、前記容器本体の周側縁部および前記蓋体の周側縁部の少なくともいずれか一方には、閉じ方向へ付勢される該蓋体を閉止位置で停止させるために、該蓋体の周側縁部および該容器本体の周側縁部のいずれか他方と係合されるストッパーが突設されることを特徴とする。
【０００７】
該容器本体の周側縁部および該蓋体の周側縁部の間には、該蓋体の閉止状態を保持するために、これらを係脱自在に係止するフックが形成されることを特徴とする。
【発明の効果】
【０００８】
本発明にかかる化粧料容器にあっては、軽い力で簡単に蓋体を旋回させて、蓋体の閉じ操作を行うことができる。
【発明を実施するための最良の形態】
【０００９】
以下に、本発明にかかる化粧料容器の好適な一実施形態を、添付図面を参照して詳細に説明する。本実施形態にかかる化粧料容器１は基本的には、図１〜図６に示すように、容器本体２と、容器本体２の上面を覆う蓋体３と、容器本体２および蓋体３の一側部に、これらを連結すべく縦設され、容器本体２に対し蓋体３を開閉自在に旋回させるヒンジ手段１００とを有する化粧料容器１であって、ヒンジ手段１００は、蓋体３を、その閉じ操作の途中から閉じ方向へ向かって付勢して、強制閉止動作を発生させ、容器本体２の周側縁部２ａおよび蓋体３の周側縁部３ａの少なくともいずれか一方には、閉じ方向へ付勢される蓋体３を閉止位置で停止させるために、蓋体３の周側縁部３ａおよび容器本体２の周側縁部２ａのいずれか他方と係合されるストッパー２０が突設される。
【００１０】
容器本体２の周側縁部２ａおよび蓋体３の周側縁部３ａの間には、蓋体３の閉止状態を保持するために、これらを係脱自在に係止するフックとして、フック片３０とフック溝３１が形成される。
【００１１】
容器本体２は、合成樹脂材製で、手のひらに乗る程度の寸法の扁平な平面外形輪郭が花弁状に形成される。容器本体２には、クリームやグロスなどの化粧料を収納する収納凹所２ｂが形成される。
【００１２】
蓋体３は、合成樹脂材製で、容器本体２とほぼ同一の花弁状に形成され、ヒンジ手段１００を介して、容器本体２に、その上面を覆うように連結される。
【００１３】
ヒンジ手段１００は、回動軸部材１１０と、軸受部材１２０とを有して構成される。軸受部材１２０は、中空円筒状のスカート部１２１と、スカート部１２１の上方に形成され、スカート部１２１よりも小さな外径の円筒状に形成された軸受部１２２とから構成される。軸受部１２２の内側には、平断面四角形状の嵌合凹部１２３が凹設される。
【００１４】
回動軸部材１１０は、軸受部材１２０に近い方から、カバー部材１１１と、カバー部材１１１に回動可能に支持される回動部材１１２と、カバー部材１１１の内部側面に沿って摺動可能に配置され回動部材１１２の回動角度に応じて回動部材１１２と係合する係止部材１１３と、係止部材１１３を回動部材１１２方向に付勢する付勢部材１１４と、付勢部材１１４と当接するとともにカバー部材１１１に係止されるカバー底部材１１５と、の５つの部材を一体的に組み立てて構成される。
【００１５】
カバー部材１１１は回動軸部材１１０の外装を構成するもので、外形及び内形が四角形に形成されており、かつ軸受部材１２０側の端部には円形の穴１１１ａが形成され、側面には少なくとも１つの係止穴１１１ｂが形成されている。また、カバー部材１１１の穴１１１ａは、回動部材１１２が回動する際のガイドとして、また、カバー部材１１１の内側面は、係止部材１１３が軸方向に摺動する際のガイドとして機能する。
【００１６】
回動部材１１２は、カバー部材１１１の穴１１１ａから突出し、軸受部材１２０の嵌合凹部１２３に嵌合する四角形状の嵌合凸部１１２ａと、カバー部材１１１の穴１１１ａとほぼ同径の円筒部１１２ｂと、係止部材１１３に係合する係合凹部１１２ｃとが形成されている。ここで、係合凹部１１２ｃは奥に行くほど狭くなるような傾斜面が形成されるテーパー形状となっている。
【００１７】
係止部材１１３は外形寸法がカバー部材１１１の内径と略等しい四角形に形成され、かつ端面に基部の巾が広く先端にいくほど狭くなるような傾斜面であって、傾斜角度が回動部材１１２の係合凹部１１２ｃの傾斜角度と対応するテーパー形状の係合凸部１１３ａが形成され、付勢部材１１４の作用により軸方向で回動部材１１２側に付勢される。従って係止部材１１３はカバー部材１１１に対し回動不能にかつ軸方向へ摺動可能に収容される。
【００１８】
このため、回動部材１１２の係合凹部１１２ｃが係止部材１１３の係合凸部１１３ａに係合したとき、回動部材１１２の回動は停止される。また、回動部材１１２に力を付与して回動させると、係合凹部１１２ｃの傾斜面が係合凸部１１３ａの傾斜面に沿って摺動し、これにより、付勢部材１１４の付勢力に抗して係止部材１１３が回動部材１１２から離隔する方向へ移動し、係合凹部１１２ｃが係合凸部１１３ａから離脱する。さらに回動部材１１２を回動させて、係合凹部１１２ｃが係合凸部１１３ａの傾斜面にさしかかると、付勢部材１１４に付勢された係合凸部１１３ａの傾斜面に沿って、係合凹部１１２ｃの傾斜面が自動的に滑動し、係合凹部１１２ｃが係合凸部１１３ａに係合する。ここで、係合凸部１１３ａと係合凹部１１２ｃが係合し、回動部材１１２の回動が停止される位置を回動停止位置とする。また、付勢された係合凸部１１３ａの傾斜面に沿って、係合凹部１１２ｃが自動的に滑動し始める位置を回動開始位置とする。
【００１９】
なお、上述した係合凹部１１２ｃ及び係合凸部１１３ａは、互いに係合する形状であればよいため、片方の係合凹部１１２ｃを凸部とし、他方の係合凸部１１３ａを凹部としてもよい。
【００２０】
カバー底部材１１５は、付勢部材１１４を支持するために付勢部材１１４の外形と同様の形状の穴が形成されている。これが付勢部材支持部１１５ａである。また、カバー底部材１１５の側面にはカバー部材１１１の係止穴１１１ｂに係止するための係止突起１１５ｂが形成されている。このため、カバー部材１１１をカバー底部材１１５にかぶせて、カバー底部材１１５の係止突起１１５ｂをカバー部材１１１の係止穴１１１ｂに係止させることで、回動軸部材１１０が一体的な構成となる。
【００２１】
以上より、ヒンジ手段１００は、軸受部材１２０に力を付与して回動させると、軸受部材１２０に嵌合された回動部材１１２を介して、軸受部材１２０が回動軸部材１１０に対して回動し、回動開始位置に差しかかると、これより回動停止位置まで自動回動する。
【００２２】
容器本体２の後端部には、上記ヒンジ手段１００のスカート部１２１の外径よりもやや大きな外径であって、その内部でスカート部１２１が軸中心に回動できる程度の大きさに収納凹部４が形成される。収納凹部４の下方には、回動軸部材１１０のカバー部材１１１の外径と略等しい四角形状に、第１ヒンジ孔４ａが形成される。他方、蓋体３の後端部には、軸受部材１２０の軸受部１２２の外径と略等しい円形状に、第２ヒンジ孔５が形成される。
【００２３】
ヒンジ手段１００は、回動軸部材１１０が収納凹部４を介して第１ヒンジ孔４ａに嵌合され、軸受部１２２が第２ヒンジ孔５に嵌合され、それぞれに超音波接着などで固着される。このように、ヒンジ手段１００により、容器本体２と蓋体３が縦方向に連結されることによって、容器本体２に対し蓋体３は開閉自在に旋回される。
【００２４】
また、回動軸部材１１０は、第１ヒンジ孔４ａに対して回動不能に固着され、軸受部材１２０は、第２ヒンジ孔５に対して回動不能に固着されているので、軸受部材１２０が回動軸部材１１０に対して、回動開始位置から回動停止位置まで自動回動することによって、蓋体３を閉じ方向へ向かって付勢して、強制閉止動作を発生させる。
【００２５】
蓋体３の周側縁部３ａには、閉じ方向へ付勢される該蓋体３を閉止位置で停止させるために、容器本体２の周側縁部２ａと係合されるストッパー２０が突設される。ストッパー２０は、蓋体３の先端に、その旋回方向と反対側へ迫り出して突設される突部２１と、突部２１より垂下形成され、蓋体３の閉止位置において、容器本体２の周側縁部２ａと当接する爪部２２とで構成される。本実施形態では、ストッパー２０は、蓋体３の周側縁部３ａの先端より、旋回方向やや後方に形成されているが、蓋体３の旋回方向後方側の周側縁部３ａであれば、どこに形成してもよい。また、蓋体３の旋回方向前方側の周側縁部３ａと重なり合う側の、容器本体２の周側縁部２ａに形成してもよい。
【００２６】
ストッパー２０の爪部２２には、蓋体３の閉止状態を保持するために、容器本体２に対し蓋体３を係脱自在に係止するフック片３０が容器本体２側へ向けて突設される。容器本体２の周側縁部２ａには、フック片３０を係脱自在に係止するフック溝３１が設けられる。これらフック片３０とフック溝３１とで、容器本体２と蓋体３の間にフックが構成される。本実施形態では、フック片３０はストッパー２０の爪部２２に形成されているが、フック片３０の形成位置はこれに限られず、蓋体３および容器本体２の周側縁部３ａ、２ａであればどこでもよい。フック溝３１はフック片３０を係脱自在に係止するため、これに対応する容器本体２および蓋体３の周側縁部２ａ、３ａに形成される。
【００２７】
次に、本実施形態にかかる化粧料容器１の作用について説明する。化粧料容器１を製作するには、容器本体２の第１ヒンジ孔４ａに、ヒンジ手段１００を回動軸部材１１０側から嵌合し、第１ヒンジ孔４ａとカバー部材１１１を接着する。そして、容器本体２に蓋体３を覆い被せ、軸受部材１２０を第２ヒンジ孔５に嵌合させて接着し、ヒンジ手段１００を介して容器本体２と蓋体３を連結する。
【００２８】
化粧料容器１を使用するに際し、容器本体２の開放時には、蓋体３を、その開放方向に向けて旋回操作する。蓋体３を旋回させると、ヒンジ手段１００の回動部材１１２の係合凹部１１２ｃの傾斜面が、係止部材１１３の係合凸部１１３ａに沿って摺動し、係合凹部１１２ｃが係合凸部１１３ａより離脱する。そして、さらに蓋体３を開放方向側に旋回すると、係合凹部１１２ｃの傾斜面が係合凸部１１３ａに沿って滑動することにより、蓋体３は、ヒンジ手段１００の回動開始位置に対応する位置から自動的に旋回し、回動停止位置に対応する位置で停止し開放される。
【００２９】
他方、容器本体２の閉止時には、蓋体３を閉止方向へ向けて旋回操作する。上記開放操作時と同様に、ヒンジ手段１００の回動開始位置から、回動軸部材１１０に対して軸受部材１２０が自動回動することによって、蓋体３の、閉止位置へ向けての強制閉止動作が発生する。付勢された蓋体３は、そのストッパー２０が容器本体２の周側縁部２ａに係合されることによって、閉止位置で停止する。
【００３０】
また、当該強制閉止動作によって閉止位置まで付勢された蓋体３は、ストッパー２０に設けられたフック片３０をフック溝３１に係止することによって、閉止状態が保持される。
【００３１】
特に本実施形態にかかる化粧料容器１にあっては、適宜定められた回動開始位置より回動停止位置まで自動回動するヒンジ手段１００を用いることによって、蓋体３を閉止する際の旋回操作の途中から強制閉止動作が発生するため、軽い力で蓋体３の閉止操作を行うことができる。このため、手指などで化粧料を擦り取って化粧をした後でも、化粧料のついた手指で閉止操作をせずに、化粧料容器１を持っている側の手のみであっても閉止操作を簡単に行える。
【００３２】
また、開蓋の際も同様に、その旋回操作の途中から、ヒンジ手段１００により強制開放動作が発生するため、軽い力で開放できる。さらに、適宜に定めた開放位置で蓋体３が停止するため、化粧の際の使用性がよい。
【００３３】
化粧料容器１の組付け段階において、容器本体２と蓋体３がぴったりと重なり合う蓋体３の閉止位置とヒンジ手段１００の回動停止位置が多少ずれてしまったなどの場合であっても、ストッパー２０を設けたことにより、付勢された蓋体３の旋回動作を閉止位置で確実に止めることができる。このため、ヒンジ手段１００の多少の位置ずれを気にせずに、ヒンジ手段１００を組付けることができ、作業性を向上できる。
【００３４】
本実施形態では、蓋体３の閉止位置にヒンジ手段１００の回動停止位置を合わせているが、回動停止位置を蓋体３の閉止位置よりもさらに旋回させた位置に設定してもよい。この場合であってもストッパー２０によって蓋体３は閉止位置で停止することができる。そして、蓋体３が付勢された状態で係合され、フック片３０がフック溝３１で係止されるので、閉蓋状態をさらに確実に保持することができる。
【図面の簡単な説明】
【００３５】
【図１】本発明にかかる化粧料容器の好適な一実施形態を示す斜視図である。
【図２】図１の化粧料容器の開放状態を示す斜視図である。
【図３】図１の化粧料容器を開放させて裏返した状態を示す斜視図である。
【図４】図１中、Ａ−Ａ矢視断面図である。
【図５】本発明に適用されるヒンジ手段の回動停止状態を示す側断面図である。
【図６】図４のヒンジ手段の分解斜視図である。
【符号の説明】
【００３６】
１      化粧料容器
２      容器本体
３      蓋体
１００  ヒンジ手段
２ａ    容器本体周側縁部
３ａ    蓋体周側縁部
２０    ストッパー
３０    フック片
３１    フック溝
【図１】
2009125119.tif 000003
【図２】
2009125119.tif 000004
【図３】
2009125119.tif 000005
【図４】
2009125119.tif 000006
【図５】
2009125119.tif 000007
【図６】
2009125119.tif 000008